(57)【特許請求の範囲】
【請求項１】
間仕切り壁用のＡＬＣパネルの下端小口面を床または梁の上面に当接するために、直列方向に相隣接して相互に接合可能な２つのＡＬＣパネルの下端小口面に跨って配置される部材からなり、該部材は床または梁に釘止めするための１つ以上の釘孔を有し、前記相隣接する２つのＡＬＣパネルの一方のＡＬＣパネルに食い込むように２つの突起を設け、かつ、該一方のＡＬＣパネルにカットネイルにより固着するための透孔を設け、前記２つの突起は、前記一方のＡＬＣパネルの小口面の幅方向に並置され、かつ、幅方向に延びる面を有し、前記透孔と前記２つの突起は、三角形の頂点になるように配置されていることを特徴とする取付け金具。
【請求項２】
取付け金具の一方の端部側に２つの突起および１つの透孔が設けられ、他方の端部側に１つ以上の釘孔が設けられており、該取付け金具の前記一方の端部側を相隣接する２つのＡＬＣパネルの一方のＡＬＣパネルの下端小口面に当接し、前記突起と透孔を通じたカットネイルを該一方のＡＬＣパネルに打ち込むことで、該取付け金具を該一方のＡＬＣパネルに固着し、該一方のＡＬＣパネルを床または梁に立設し、該一方のＡＬＣパネルから突出した前記取付け金具の釘孔を通じて釘を床または梁に打ち込み、その後、相隣接する他方のＡＬＣパネルを、前記一方のＡＬＣパネルに接合することにより、２つ以上のＡＬＣパネルが相連結して床または梁に固定されていることを特徴とする壁構造。
【発明の詳細な説明】
【０００１】
【発明の属する技術分野】
この発明は、ＡＬＣパネルを使用した建築物の間仕切り壁において、取付け金具と、壁構造に関する。
【０００２】
【従来の技術】
従来、ＡＬＣパネルを縦長に使用した建築物の間仕切り壁を形成する工法としては、例えば図２５、図２６に示すような湿式工法と、図２７、図２８に示すような乾式工法が採用されている。
【０００３】
図２５は従来の湿式工法を示す下方から見上げた斜視図であり、図２６は上方から見下ろした斜視図である。この湿式工法では、床用ＡＬＣパネル１１と上階梁１４との間に、ＡＬＣパネル１０を並列立設し、床用ＡＬＣパネル１１の間仕切り部にアンカー１２を打ち込み、鉄筋１３の下端をネジ固着する。
【０００４】
一方、上階梁１４には、下向き定規アングル１５を固着しておき、ＡＬＣパネル１０の上端部に、ＡＬＣパネル１０を貫通するボルト１７でイナヅマプレート１６を固着しておく。それから、ＡＬＣパネル１０の両側長辺小口面の丸溝１０ａ内に前記鉄筋１３が位置した状態で、ＡＬＣパネル１０を立設し、前記イナヅマプレート１６を定規アングル１５に固着し、隣接するＡＬＣパネル１０の向かい合う丸溝１０ａ内にモルタルを充填する。この工法は湿式構造のため、手数がかかるばかりでなく、工期が長くなる問題がある。
【０００５】
また、図２７は従来の乾式工法を示す下方から見上げた斜視図であり、図２８は上方から見下ろした斜視図である。この乾式工法では、下階のコンクリート床２１と、上階のコンクリート床２４との間に、両側の長辺小口面に本実加工したＡＬＣパネル２０を並列立設し、コンクリート床２１には、間仕切り部のＡＬＣパネル中心位置にアンカー２３を打ち込み、断面コ字状の取付け金具２２を固着しておく。
【０００６】
一方、上階床２４には、逆Ｌ字状金具２５を固着しておく。それから、下端中央部を前記取付け金具２２で挟持した状態で、ＡＬＣパネル２０を立設し、上端部は一方の面を前記上階床２４の逆Ｌ字状金具２５に当接させ、他方の面を短い下向きアングル２６に当接させた状態で、このアングル２６を逆Ｌ字状金具２５に溶接する。また隣接するＡＬＣパネル２０の長辺小口面は本実接続される。この工法は乾式構造であるので、工期は短くて済むが、取付け金具２２がＡＬＣパネル２０の両面や一方の床面に露出するため、壁面の仕上げ工事に手数がかかる問題があった。
【０００７】
また、ＡＬＣパネルを直角方向に立設して出入り隅部を形成する場合には、例えば図２９に示すように、アングル４３の水平部を床面にアンカーで固着し、ＡＬＣパネル４１の長辺小口面を、ＡＬＣパネル４２の端部裏面に所望間隔を設けて立設する。それから、前記ＡＬＣパネル４１、４２の下端部近辺に穿孔して、丸棒をＬ字状に折り曲げたフックボルト４４を前記ＡＬＣパネルの孔に水平に挿通してナット（図示せず）で固着し、折り曲げ部を前記アングル４３の水直面に溶接して各ＡＬＣパネル４１、４２を固定する。その後ＡＬＣパネル４１、４２の間の空隙部にロックウール４５などの耐火材を充填する。
【０００８】
また、他の方法としては、図３０に示すように、一端が開放され、ＡＬＣパネル厚さに応じた寸法の受け箱状の２つの取付け金具４６を直角に配設し、その底面を床面にアンカー４７で固着する。それから、出入り隅を形成する２枚のＡＬＣパネル４１、４２の下端小口面を前記取付け金具４６にはめ込んで固定する。その後、前述と同様にＡＬＣパネル４１、４２の間に空隙部にロックウール４５などの耐火材を充填する。
【０００９】
しかしこれらの構造は、いずれもアングル４３や取付け金具４６がＡＬＣパネル面よりも外側に突出して露出するので、内装材の下地処理が必要なため、壁面の仕上げ工事に手数がかかる問題があった。
【００１０】
【発明が解決しようとする課題】
この発明は、ＡＬＣパネルで間仕切り壁を構成する場合に、乾式で施工でき、ＡＬＣパネルの取付けや仕上げが容易な間仕切り壁構造と、使用する取付け金具を提供する。
【００１１】
【課題を解決するための手段】
本発明の間仕切り壁取付け金具は、ＡＬＣパネルの下端小口面を床または梁の上面に当接するために、直交方向にまたは直列方向に相隣接するＡＬＣパネルの下端小口面に跨って、床または梁に固着可能であると共に、少なくとも一端側が相隣接するＡＬＣパネルの一方の下端小口面の端部に固着可能になっている。また、間仕切り壁用のＡＬＣパネルの下端小口面に設けられた凹部にはめ合うように、相隣接するＡＬＣパネルの下端小口面に跨って連続する凸部あるいは相分離した凸部が設けられているとよい。あるいは、間仕切り壁用のＡＬＣパネルの両面を挟むように、コ字状に形成されていてもよい。
【００１２】
また、本発明の異なる間仕切り壁取付け金具は、垂直部と該垂直部から延びる二股状の水平部を有し、ＡＬＣパネルの面に締着するボルトが挿通可能な切り欠きが垂直部に設けられるＬ字状金具と、該Ｌ字状金具の二股状水平部の間に挿入され、隣接するＡＬＣパネルの下端小口面に固定される取付け金具とからなる。また、相隣接するＡＬＣパネルの一方に食い込むように、１つ以上の突起が設けられているとよい。さらに、床または梁に釘止めする１つ以上の釘孔を有するとよい。
【００１３】
また、本発明の異なる間仕切り壁取付け金具は、間仕切り壁用のＡＬＣパネルの下端小口面を床または梁の上面に当接するために、該ＡＬＣパネルの横端小口面と、床または梁の上面とにそれぞれ固定可能である。また、床または梁の上面に当接して固定される板部材と、該板部材に固定され、該板部材から垂直に伸び出て、先端部分が該板部材に平行に形成された棒部材とからなり、棒部材の先端は間仕切り壁用のＡＬＣパネルの横端小口面に設けた穴内に挿入されるとよい。あるいは、間仕切り壁用のＡＬＣパネルの横端小口面に固定される板部材および、床または梁の上面に平行に該板部材から突出し、孔を備えた突起部分を有する第１金具と、相反対側に延びる２つの平行面とそれらの連結部からなり、一方の平行面が床または梁の上面に固定され、他方の平行面に孔を設けた第２金具と、第１金具の孔および第２金具の孔に連通する棒状金具とからなるとよい。
【００１４】
また、本発明の異なる間仕切り壁取付け金具は、間仕切り壁用のＡＬＣパネルの下端小口面を床または梁の上面に当接して固定するために、または間仕切り壁用のＡＬＣパネルの横端小口面を外壁コンクリート面または角柱に直交立設して固定するために、ＡＬＣパネルの小口面にねじ込み可能であると共に、頭部に溶着用板材が固着されているボルトと、該ボルトに取り付けられた時に該ボルトの先端方向に向けられる突起が設けられている板状のナットとを備える。
【００１５】
さらに、これらの取付け金具の固定した状態の床投影面積が、間仕切り壁の壁面から突出しない形状であることが好ましい。
【００１６】
本発明の間仕切り壁構造は、ＡＬＣパネルにこれらの取付け金具を用いて、床または梁の上面に当接させる構造である。該間仕切り壁構造は、直交方向あるいは直列方向に連結するＡＬＣパネルの下端小口面で、床または梁の上面に固定する。従って、出入り隅型の間仕切り壁構造が可能で、間仕切り用ＡＬＣパネルが当接するか、あるいは近接する壁面に固定することもできる。
【００１７】
【発明の実施の形態】
本発明の間仕切り壁の取付け構造は、並列立設されるＡＬＣパネルの上端部を、上階の床又は床用梁に固着された例えば下向きのチャンネル状の金具に狭持させ、下端小口面を、床面に固定された取付け金具に固着させる。そして、この取付け金具は全幅がＡＬＣパネルの厚さよりも小さい寸法で、並列立設され隣接するＡＬＣパネルの下端小口面に跨って、取り付けられる。
【００１８】
また、取付け金具の全長方向は、隣接するＡＬＣパネルの下端小口面に跨り、全幅がＡＬＣパネルの厚さよりも小さく、上面には連続する凸部を設ける。
【００１９】
また、ＡＬＣパネルの下端小口面に設けた溝に、この取付け金具の凸部をはめて固定し、取付け金具の他方寄りを、床または梁にビス止めした状態で、隣接するＡＬＣパネルの下端小口面に設けた溝に、凸部をはめればよい。なお、この取付け金具を、前者のＡＬＣパネルに対して直角にしておけば、間仕切り壁の隅部に適用することができる。
【００２０】
また、取付け金具の異なる態様として、長手方向上面両端部に直方体状の突起を設ける。そして、隣接するＡＬＣパネルの下端小口面に、該突起にはめあわす穴を設けておき、隣接するＡＬＣパネルの穴に突起をはめて固定する。この取付け金具は、直角方向に立設した２枚のＡＬＣパネルの接合にも適用することができる。
【００２１】
なお、これらの取付け金具を、ＡＬＣパネル下端部に固定する場合には、釘止めしてもよいが、取付け金具の一部に上向きの尖頭部を設けておき、ＡＬＣパネルの小口面に打ち込むようにすれば釘は不要で経済的である。
【００２２】
また、本発明の異なる態様として、垂直な棒の上端部と、下端部を立体交差関係の直角方向に折り曲げた形状とし、上端部をＡＬＣパネルの長辺小口面の穴に挿入し、下端部を床面にビス止めした鉄板や梁面に固着した取付け金具を使用する。
【００２３】
また、異なる取付け金具として、ＡＬＣパネルの長辺小口面に取り付けられる垂直面の中央部に水平方向に突起が設けられている板状部材と、垂直面の下端部と上端部が反対方向に直角に折り曲げられているイナズマプレートと、前記板状部材の突起と金物の上端部を貫通する棒状部材とから構成する。前記イナズマプレートの下端水平面を床または梁の上に固定し、ＡＬＣパネルの長辺小口面に前記板状部材を釘止めしておき、この板状部材の突起の孔とイナズマプレートの上端水平部の孔を、棒状部材で貫通固定する。
【００２４】
また、異なる本発明の間仕切り壁構造に用いる取付け金具は、矩形の板状でその幅をＡＬＣパネル厚さよりも狭くし、その長手方向の一方の端部近辺には、一方のＡＬＣパネルの下端小口面に打ち込む上向きの突起を配設した。また必要に応じて釘孔を設ける。そして、一方のＡＬＣパネルの下端小口面に、この取付け金具の約６０％を当接させ、上向きの突起を打ち込み、必要に応じてカットネイルを打ち込んで固定して立設し、ＡＬＣパネルから突出した取付け金具の他端を貫通して、コンクリート釘で床面に固定する。その後、隣接するＡＬＣパネルの相互を本実接続すれば、間仕切り壁が構成される。なお、取付け金具のカットネイルの頭部は、裏面に突出しないので好都合である。
【００２５】
異なる間仕切り壁構造は、隣接する一方のＡＬＣパネルの長辺が、他方のＡＬＣパネル裏面に、直角に空隙を隔てて立設される出入り隅型の構造であり、一方のＡＬＣパネル裏面に、板状金具を狭む構造のＬ字型金具を打ち込んで床面に固定してから、前記ＡＬＣパネルに相対するＡＬＣパネルの下端小口面に板状金具を取り付け、Ｌ字型金具に挿入して挟み、間仕切り壁の出入り隅部が構成される。
【００２６】
また、外壁に直交する間仕切り壁の端末ＡＬＣパネルは、長辺小口面に取り付けられた取付け金具の下端部を、床または梁の上面に当接して固定され、全幅がＡＬＣパネルの厚さよりも小さい寸法とする。
【００２７】
異なる間仕切り壁構造は、外壁裏面または角柱面から所望寸法隔てて直交して立設される間仕切り壁の構造である。取付け金具は、頭部に板材が固着されているボルトと、該ボルトにネジ止めされ該ボルトの先端方向に突起が設けられている板状のナットとからなる。
【００２８】
前記外壁がコンクリート壁の場合には、間仕切り壁端部のＡＬＣパネルの下端部近辺の長辺小口面に、取付け金具を取り付けておき、このＡＬＣパネルを所望位置に立設してから取付け金具のボルトを回転させて、その頭部の板材を前記外壁コンクリート裏面または角柱面に固着する。
【００２９】
また外壁がＡＬＣパネルまたはコンクリート壁の場合には、Ｌ字状のプレートの垂直な外側面が前記壁面に当接した状態で、その水平面を床面に固着しておき、前記ボルトを回転させて、その頭部の板材を前記プレートの垂直な内側面に固定する。
【００３０】
前述のいずれの態様でも、乾式で少ない工数で短期間に施工できるので、容易に仕上げることが可能であり、各取付け金具は、ＡＬＣパネルの間仕切り壁から露出することがないので、壁面が平坦に構成でき、優れた外観が得られる。さらに、壁面の仕上げ作業の際に下地処理が不要となり、工数や資材が節減できる。なお、外壁裏面や、柱と直角方向の間仕切り壁端部の空隙には耐火材を充填する。
【００３１】
なお、前述の各取付け金具を床面や梁に固定する方法は、その構造に応じて床面のアンカーに固着したり、直接ビス止めしたり、あるいは梁面に溶接したりすればよい。
【００３２】
さらに、いずれの間仕切り壁構造でも、各取付け金具を取り付けるＡＬＣパネルの下端小口面に、これら取付け金具が埋没可能な窪みを加工しておけば、ＡＬＣパネルの下端小口面が床面と密着するので好ましい。また床面の構造上、各取付け金具の厚さの空隙が生ずる場合には、必要に応じて耐火材を充填する。
【００３３】
【実施例】
以下、本発明の実施例を図面によって説明する。なお図面で、床や一部を破線で示したＡＬＣパネルは一定の立体形状に固定されているが、通常の概念に従って延在するものである。
【００３４】
図１は、本発明の一実施例を示す斜視図であり、ＡＬＣパネル床１１と上階床用梁との間に、厚さ１００ｍｍ、幅６００ｍｍ、長さ３０００ｍｍのＡＬＣパネル１を並列立設して間仕切り壁を構成する。図２は、取付け金具の斜視図である。
【００３５】
本実施例で使用する取付け金具２は、厚さ３．２ｍｍのメッキ鋼板製で、全幅７５ｍｍ、長さ３００ｍｍで長手方向の上面には逆溝状の凸部２ａがプレス加工されているが、その形状はＡＬＣパネル１の下端小口面の本実加工と同じ寸法になっている。また、長手方向の一方の側には上向きに折り曲げられた２つの尖頭部２ｂを設け、他方の側には、凸部２ａを挟んで相対する位置に一対の透孔２ｃが穿孔されている。
【００３６】
この取付け金具２を使用して間仕切り壁を構成する場合には、先ず間仕切り部の上階用梁の下面に、幅１１０ｍｍのチャンネルを間仕切り壁の全長にわたって、固着しておき、ＡＬＣパネル床１１の所定位置に、アンカー１２を打ち込んでおく。一方、ＡＬＣパネル１の両側長辺小口面全長に本実溝１ａと、下端小口面の一部に取付け金具２用の当接部１ｂとを切削加工しておき、取付け金具の全長の約１／２の凸部２ａを該当接部１ｂにはめあわせ、尖頭部２ｂを打ち込み固定しておく。
【００３７】
この状態のＡＬＣパネル１を所定の位置に立設し、上端を前記チャンネルで狭持した状態で、取付け金具２の透孔２ｃを貫通する皿ボルト５でアンカー１２に固着する。それから前記チャンネルとＡＬＣパネル１の上端部との空隙部にロックウールを充填する。次にこのＡＬＣパネル１に隣接するＡＬＣパネルも同様にして立設し、本実溝１ａ同士をはめあわせ、下端の当接部１ｂに取付け金具２の凸部２ａをはめあわせる。
【００３８】
このようにして、順次ＡＬＣパネルを並列すれば、間仕切り壁が形成されるので、その後は、必要に応じ、表面に下地材を取り付けたり、塗装、プラスター塗布など壁面の仕上げをすれば、完了する。
【００３９】
図３は、本発明の一実施例を示す斜視図であり、ＡＬＣパネル床１１と上階コンクリート床との間に、厚さ１００ｍｍ、幅６００ｍｍ、長さ３０００ｍｍのＡＬＣパネル１を並列立設して間仕切り壁を構成したものである。図４は、取付け金具を示す斜視図である。
【００４０】
本実施例で使用する取付け金具７は、厚さ３．２ｍｍのメッキ鋼製板で、全幅７５ｍｍ、長さ３００ｍｍで長手方向の両端部上面には直方体状の突起７ａ、７ｄがプレス加工されており、中央の平坦部の中央部に透孔７ｂが穿孔され、一方の突起７ａの中央部に透孔７ｃが穿孔されている。
【００４１】
この取付け金具７を利用して間仕切り壁を構成する場合には、先ず間仕切り壁の上階床の下面に、幅１１０ｍｍのチャンネルを間仕切り壁の全長にわたって固着しておき、ＡＬＣパネル床１１には所定位置にアンカー（図示せず）を打ち込んでおく。一方、両側長辺小口面に本実加工したＡＬＣパネル１の一方の下端小口面に、前記取付け金具７の直方体状突起７ａをはめあわせて、透孔７ｃを貫通してカットネイル４で釘止めしておく。
【００４２】
この状態のＡＬＣパネル１を所定の位置に立設し、上端を前記チャンネルで狭持した状態で、取付け金具７の透孔７ｂを貫通するボルト５で前記アンカーに固着する。それから、前記チャンネルとＡＬＣパネル１の上端部との空隙部にロックウールを充填する。次に、このＡＬＣパネル１に隣接するＡＬＣパネルの何も取り付けていない側の下端部の穴１ｂに、取付け金具７の他方の突起７ｄをはめる。このようにして、順次ＡＬＣパネルを並列すれば、間仕切り壁が形成される。その後の仕上げ作業などは前述実施例と同様である。
【００４３】
図５は、本発明の一実施例を示す斜視図であり、ＡＬＣパネルの寸法や上端部の取付け方法などは前例と同様である。図６は、取付け金具を示す一部破断斜視図である。本実施例で使用する取付け金具８は、厚さ３．２ｍｍのメッキ鋼板製で、上向きチャンネル状で、外幅１００ｍｍ、長さ２００ｍｍ、垂直面８ａの高さが１００ｍｍで、底面の一方の端部付近には２つの透孔８ｂが穿孔されており、他方の端部付近には上向きに２つの尖頭部８ｃが設けられている。
【００４４】
取付け金具８を使用して間仕切り壁を構成する場合には、取付け金具８が当接するＡＬＣパネル１の両面下端部は切削しておき、一方のＡＬＣパネル１を垂直面８ａの半分で狭持した状態で、下端小口面に尖頭部８ｃを打ち込み固定しておく。この状態のＡＬＣパネル１を所定の位置に立設し、上端は前述の実施例と同様に取り付け、下端部は透孔８ｂを貫通するボルトでアンカー（図示せず）に固着する。次にこのＡＬＣパネル１に隣接するＡＬＣパネルの何も取り付けていない下端部を、取付け金具８の垂直面８ａで狭持させ、固定する。このようにして、順次ＡＬＣパネルを並列すれば、間仕切り壁が形成される。
【００４５】
図７は、本発明の一実施例を示す斜視図であり、ＡＬＣパネルの寸法や上端部の取付け方法などは前述の実施例と同様である。図８は、取付け金具を示す斜視図である。本実施例で使用する取付け金具９は、厚さ３．２ｍｍのメッキ鋼板製で、幅１００ｍｍ、長さ２００ｍｍの板状で、一方の端部には上向きに３つの尖頭部９ｂが形成され、他方の端部には２つの透孔９ａが穿孔されている。
【００４６】
この取付け金具８を使用して間仕切り壁を構成する場合には、ＡＬＣパネル１の一方の下端小口面に、取付け金具９の半分を当接させ、尖頭部９ｂを打ち込んでおく。この状態のＡＬＣパネル１を所定の位置に立設し、透孔９ａを貫通したボルト（図示せず）で、予め床用ＡＬＣパネルに設けたアンカーに固着する。次にこのＡＬＣパネル１に隣接するＡＬＣパネルの何も取り付けていない側の下端部を、取付け金具９に載置し、相対する長辺小口面は本実接合する。このようにして順次ＡＬＣパネルを並列すれば、間仕切り壁が形成される。
【００４７】
図９は、本発明の一実施例を示す斜視図であり、外壁３１に直交するＡＬＣパネル３０の端末小口面の固定方法の実施例を示している。図１０は、取付け金具を示す斜視図である。この構造に使用する取付け金具３２は丸棒状の両端部３２ａ、３２ｂが立体交差関係となるように直角に折り曲げられている。そして、一方の水平な端部３２ａは、ＡＬＣパネル３０の長辺小口面の穴に挿入され、他方の水平な端部３２ｂは、床１１の上にビス止め固定されその幅がＡＬＣパネルの厚さよりも小さい寸法の板材３３に固着される。
【００４８】
図１１は、本発明の一実施例を説明する斜視図であり、図１２は、取付け金具を示す斜視図であり、外壁３１に直交するＡＬＣパネル３０の端末小口面の固定方法の実施例を示している。図１３は、取付け金具の組立分解図である。この構造に使用する一方の板状部材３４の垂直部の幅は、ＡＬＣパネル３０の長辺小口面の本実溝３０ａの幅に等しいか、若干小さく、その両端部３４ａ、３４ｂは前記本実溝３０ａに釘止めされている。またこの板状部材３４の中央部には水平方向に突起３４ｃが突出しており、この突起３４ｃには透孔が穿孔されている。
【００４９】
他方のイナズマプレート３５の下端水平面３５ａは、ＡＬＣパネル３０側に水平に折り曲げられ、床１１に釘止めされている。またイナズマプレート３５の上端水平面３５ｂは、下端水平面３５ａと反対側に水平に折り曲げられており、この上端水平面３５ｂには透孔が穿孔されている。そして前記板状部材３４の突起３４ｃとイナズマプレート３５の水平面３５ｂは、両者を貫通する垂直な丸棒３６によって連結された状態で、ＡＬＣパネル３０が床１１に固定される。
【００５０】
このように、板状部材３４の垂直部やイナズマプレート３５の垂直部を、ＡＬＣパネル３０の本実溝３０ａに隠れるように取り付ければ、突起３４ｃや水平面３５ｂがＡＬＣパネル３１の長辺小口面から突出する寸法を小さくできる。
【００５１】
図１４は本発明の一実施例の斜視図であり、図１５は、取付け金具を示す斜視図である。なお、本実施例を含めた以下の実施例のＡＬＣパネルの寸法や上階床用梁への取付方法は、前述の実施例と同様である。この実施例に使用する取付け金具５０は、厚さ２．３ｍｍのメッキ鋼板製で、全幅３３ｍｍ、長さ９０ｍｍで長手方向の一方の端部近辺には、直径７ｍｍの透孔５０ａが穿孔され、その縁部はバーリング加工されている。またこの端部には上向きに、先端が尖った突起５０ｂが設けられている。さらに他方の端部近辺には、コンクリート釘を打ち込む位置に、けがき５０ｃが刻まれているが、透孔を穿孔しておいてもよい。
【００５２】
この取付け金具５０を使用して間仕切り壁を構成するには、隣接するＡＬＣパネル１の下端小口面に、この取付け金具５０が埋設可能な寸法の窪み１ｂを加工しておく。そして一方のＡＬＣパネル１の下端小口面に、この取付け金具の全長の約６０％を当接させて、端部上向きの突起５０ｂとカットネイル５１を打ち込んで固定した状態で立設し、ＡＬＣパネル１から突出した取付け金具５０のけがき５０ｃから、コンクリート釘を打ち込んで床面に固定する。その後、隣接するＡＬＣパネル１の相互に加工されている本実溝１ａを接合すればよい。なお前記ＡＬＣパネルの切削部１ｂはその必要がなければ設けなくてもよい。
【００５３】
次に、図１６は、本発明の一実施例の斜視図であり、図１７は、取付け金具を示す斜視図である。本実施例の取付け金具は、前述の実施例の取付け金具５０とＬ字型金具５３とを組み合わせた構成であり、間仕切り壁の隅部を構成する。Ｌ字型金具５３は、厚さ２．３ｍｍ、幅７５ｍｍのメッキ鋼板をＬ字状に折り曲げたものであり、水平部は長さ３５ｍｍの二股状をなし、各端部近辺にはコンクリート釘を打ち込む位置にけがき５３ａが刻まれている。また高さ４０ｍｍの垂直部には水平なボルト５４が挿通可能な切り欠き５３ｂが設けられており、さらに折り曲げ部には補強用のリブ５３ｃが形成されている。
【００５４】
取付け金具５０とＬ字型金具５３を使用して間仕切り壁の隅部を構成するには、先ず突きつけるＡＬＣパネル１の下端小口面に、前述の実施例と同様に取付け金具５０の全長の約６０％を当接させて、端部上向きの突起５０ｂとカットネイル５１を打ち込んで固定した状態で立設し、ＡＬＣパネル１から突出した取付け金具５０に、コンクリート釘５２を打ち込んで床面に固定する。
【００５５】
次にこの取付け金具５０の床に固定した部分を、Ｌ字型金具５３の二股部で狭んだ状態で、その垂直面が前記ＡＬＣパネル１の長辺小口面から所望間隔だけ隔て、ＡＬＣパネル１８を直角に設置し、水平部のけがき５３ａからコンクリート釘５２を打ち込んで床面に固定する。またＡＬＣパネル１８の側面下端部近辺にアンカー５５を打ち込み、ボルト５４を仮にネジ止めしておく。
【００５６】
その後、このＡＬＣパネル１８の面を、Ｌ字型金具５３の垂直部に当接させ、ボルト５４を切り欠き５３に挿通した状態で、ＡＬＣパネル１と直角方向に立設する。それから、前記ボルト５４を締め、ＡＬＣパネル１とＡＬＣパネル１８との空隙にロックウールなどの耐火材を充填すれば、出入り隅型の間仕切り壁が構成される。なお、前記アンカー５５の代わりに、図示しないがＡＬＣパネル１８の長辺小口面に穿孔した穴に、パイプ状のアンカーを挿入し、前記ボルト５４をネジ止めしてもよい。
【００５７】
図１８は、本発明の取付け金具６０を使用して床に取り付ける間仕切り壁構造を示す斜視図である。図１９は、図１８の組立分解図である。
【００５８】
取付け金具６０は、直径１２ｍｍ、長さ６０ｍｍで、頭部に直径５０ｍｍ、厚さ３．２ｍｍの（図１９では六角形の）板６２を固着したボルト６１と、このボルト６１にネジ止めし、厚さ３．２ｍｍの四角形で、角部が直角に折り曲げられた突起６３ａを形成しているナット６３とから構成されている。
【００５９】
この取付け金具６０を使用して間仕切り壁を構成する場合には、先ず間仕切り部の上階用梁の下面に、チャンネルを間仕切り壁の全長にわって、固着しておき、床１１の上面所定位置に、あて板６５をネジ止めする。あるいは、床用梁などの上に、間仕切り壁を配置する場合には、このあて板６５を省略できる。一方、ＡＬＣパネル１の下端の両端近辺に、座堀６６を加工し、中央にボルト用の穴を設ける。そして、ネジ穴が前記ボルト用の穴に重なるように、ナット６３の突起６３ａを座堀６６に打ち込み、板６２が固着されたボルト６１を、ナット６３に仮に止めておく。
【００６０】
この状態のＡＬＣパネル１を所定の位置に立設し、上端を前記チャンネルで狭持した状態で、あて板６５に板６２が当接する位置まで、ボルトを回転させる。この作業は、ナット６３が突起６３ａでＡＬＣパネル１に固着されているので、ＡＬＣパネル１の側面から容易に行うことができる。そして板６２を、あて板６５あるいは床用梁に溶接することで、間仕切り壁を強固に固定する。その後は、他の実施例と同様に、表面に下地材を取り付けたり、塗装、プラスター塗布などの壁面の仕上げをすれば、完了する。
【００６１】
図２０は、取付け金具６０の正面図であり、図２１は図２０のＡ−Ａ矢視図である。図２２は、本発明の取付け金具６０を使用してコンクリート壁に間仕切り壁の端末パネルを取り付ける構造を示す断面図である。
【００６２】
この取付け金具６０を使用して、図２２のようにコンクリート壁６４にＡＬＣパネルを固定するには、先ずコンクリート壁６４の前記円板６２が当接する部分には、外形が円板６２よりも大きい鉄板製あて板６５をコンクリート釘５２で取り付けておき、端末ＡＬＣパネル１の小口面には、取付け金具６０の外形よりもやや大きい寸法の座堀り６６を加工し、取付け金具６０をはめ込んでおく。
【００６３】
次にこのＡＬＣパネル１をコンクリート壁６４と所望間隔を隔てて直角方向に立設し、ボルト６１を回転させて円板６２をあて板６５に押圧するように当接させて溶接し、ＡＬＣパネル１を固定する。このとき、ナット６３の突起６３ａがＡＬＣパネル１にはめ込まれているので、ボルト６１の空転が防止される。その後、ＡＬＣパネル１とコンクリート壁６４との空隙に、ロックウールなどの耐火材を充填すれば、間仕切り壁が構成される。
【００６４】
図２３は、本発明の取付け金具６０を使用して鉄製角柱に間仕切り壁の端末パネルを取り付ける構造を示す断面図である。このように鉄製角柱６７の場合には、前述の実施例のようなあて板６５は不要であり、柱面に円板６２を直接溶接固定すればよい。
【００６５】
図２４は、本発明の取付け金具６０を使用してＡＬＣパネルの外壁に間仕切り壁の端末パネルを取り付ける構造を示す断面図である。
【００６６】
この実施例では、外壁はＡＬＣパネル１０であり、Ｌ字状プレート６８は厚さ２．３ｍｍ、幅７５ｍｍのメッキ鋼板を直角に折り曲げ、垂直面高さ８０ｍｍ、水平面長さ４０ｍｍのＬ字状になっている。そしてこのＬ字状プレート６８の垂直な外面が、ＡＬＣパネル１０の裏面に当接した状態で、水平面をコンクリート床１１にコンクリート釘５２で固着する。一方ＡＬＣパネル１には前述の実施例と同様に取付け金具６０を取り付けておく。次にこのＡＬＣパネル１をコンクリート壁６４と所望間隔を隔てて直角に立設し、ボルト６１を回転させて円板６２を前記Ｌ字状プレート６８の垂直裏面に押圧するように当接させて溶接し、ＡＬＣパネル１を固定する。その後ＡＬＣパネル１の長辺小口面と外壁１０の裏面との空隙にはロックウール４５を充填し、ＡＬＣパネル１の下端小口面と床１１との間に耐火ボンドを充填する。
【００６７】
このような間仕切り壁構造を構成する場合には、先ず間仕切り壁を立設する部分に、前記Ｌ字状プレート６８の垂直な外側面がＡＬＣパネル１０の裏面に当接した状態で、水平面をコンクリート床１１にコンクリート釘５２で固着する。一方ＡＬＣパネル１には、前述の実施例と同様に取付け金具６０を取り付けておく。
【００６８】
次にこのＡＬＣパネル１をコンクリート壁６４と所望間隔を隔てて直角方向に立設し、ボルト６１を回転させて円板６２を前記プレート６８の垂直裏面に押圧するように当接させて溶接し、ＡＬＣパネル１を固定する。その後ＡＬＣパネル１の長辺小口面と外壁１０の裏面との間の空隙にロックウール４５を充たし、ＡＬＣパネル１の下端小口面と床１１との間の空隙に耐火ボンドを充填すればよい。
【００６９】
この構造では、床に水平面を固着したＬ字状プレートの水直面に、間仕切り壁の長辺小口面を取付け金具で固着するので、外壁はＡＬＣパネルに限らずコンクリート壁や、その他の壁面にも適用することができる。
【００７０】
以上本発明の各種の実施例について、隣接する間仕切り壁用ＡＬＣパネル相互を接合する構造、および外壁裏面に直交するＡＬＣパネルの取付け構造と、各取り付け金具によるＡＬＣパネルの固定方法を説明したが、ＡＬＣパネルの寸法や、各取付け金具の形状、寸法などは、必要に応じ適宜選定すればよい。
【００７１】
【発明の効果】
以上詳細に説明したように、本発明の間仕切り壁構造は、乾式で少ない工数で短期間に施工できる。また本発明に用いる各取付け金具は、ＡＬＣパネル面から露出するすることがないので、壁面が平坦でその仕上げが容易で、優れた外観が得られる。
【図面の簡単な説明】
【図１】本発明の一実施例を示す斜視図である。
【図２】図１に使用する取付け金具を示す斜視図である。
【図３】本発明の一実施例を示す斜視図である。
【図４】図３に使用する取付け金具を示す斜視図である。
【図５】本発明の一実施例を示す斜視図である。
【図６】図５に使用する取付け金具を示す一部破断斜視図である。
【図７】本発明の一実施例を示す斜視図である。
【図８】図７に使用する取付け金具を示す斜視図である。
【図９】本発明の一実施例を示す斜視図である。
【図１０】図９に使用する取付け金具を示す斜視図である。
【図１１】本発明の一実施例を示す斜視図である。
【図１２】図１１に使用する取付け金具を示す斜視図である。
【図１３】図１１に使用する取付け金具の組立分解図である。
【図１４】本発明の一実施例を示す斜視図である。
【図１５】図１４に使用する取付け金具を示す斜視図である。
【図１６】本発明の一実施例を示す斜視図である。
【図１７】図１６に使用する取付け金具を示す斜視図である。
【図１８】本発明の一実施例を示す斜視図である。
【図１９】図１８の組立分解図である。
【図２０】取付け金具の正面図である。
【図２１】図２０のＡ−Ａ矢視図である。
【図２２】本発明の一実施例を示す断面図である。
【図２３】本発明の一実施例を示す断面図である。
【図２４】本発明の一実施例を示す断面図である。
【図２５】従来の湿式工法を示す下方から見上げた斜視図である。
【図２６】従来の湿式工法を示す斜視図である。
【図２７】従来の乾式工法を示す下方から見上げた斜視図である。
【図２８】従来の乾式工法を示す斜視図である。
【図２９】従来の工法による隅部を示す斜視図である。
【図３０】従来の工法による隅部を示す斜視図である。
【符号の説明】
１、１０、１１、１８、２０、３０、３１、４１、４２  ＡＬＣパネル
１ａ、３０ａ  本実溝
１ｂ  切削部
２、７、８、９、２２、３２、４６、５０、６０  取付け金具
２ａ  凸部
２ｂ、８ｃ、９ｂ  尖頭部
２ｃ、７ｂ、７ｃ、８ｂ、９ａ、５０ａ  透孔
４、５１  カットネイル
５  皿ボルト
７ａ、７ｄ、３４ｃ、５０ｂ、６３ａ  突起
８ａ  垂直面
１０ａ  丸溝
１１  床
１２、２３、４７、５５  アンカー
１３  鉄筋
１４  梁
１５  定規アングル
１６  イナヅマプレート
１７、５４、６１  ボルト
２１、２４  コンクリート床
２５  逆Ｌ字状金具
２６、４３  アングル
３１  外壁
３２ａ、３２ｂ、３４ａ、３４ｂ  端部
３３  部材
３４  板状部材
３５  イナヅマプレート
３５ａ、３５ｂ  水平面
４４  フックボルト
４５  ロックウール
５０ｃ、５３ａ  けがき
５３  Ｌ字型金具
５３ｂ  切り欠き
５２  コンクリート釘
６２  円板
６３  ナット
６４  コンクリート壁
６５  あて板
６６  座堀
６７  角柱
６８  Ｌ字状プレート
【図１】
0003591312.tif 000002
【図２】
0003591312.tif 000003
【図３】
0003591312.tif 000004
【図４】
0003591312.tif 000005
【図５】
0003591312.tif 000006
【図６】
0003591312.tif 000007
【図７】
0003591312.tif 000008
【図８】
0003591312.tif 000009
【図９】
0003591312.tif 000010
【図１０】
0003591312.tif 000011
【図１１】
0003591312.tif 000012
【図１２】
0003591312.tif 000013
【図１３】
0003591312.tif 000014
【図１４】
0003591312.tif 000015
【図１５】
0003591312.tif 000016
【図１６】
0003591312.tif 000017
【図１７】
0003591312.tif 000018
【図１８】
0003591312.tif 000019
【図１９】
0003591312.tif 000020
【図２０】
0003591312.tif 000021
【図２１】
0003591312.tif 000022
【図２２】
0003591312.tif 000023
【図２３】
0003591312.tif 000024
【図２４】
0003591312.tif 000025
【図２５】
0003591312.tif 000026
【図２６】
0003591312.tif 000027
【図２７】
0003591312.tif 000028
【図２８】
0003591312.tif 000029
【図２９】
0003591312.tif 000030
【図３０】
0003591312.tif 000031